(57)【要約】【課題】表示装置の機能をオン、オフさせる機能についての設定を可能とする。【解決手段】画像を表示する頭部装着型の右表示部２２及び左表示部２４を備えた映像表示部２０とＰＣ３００とが接続される接続装置１０であって、右表示部２２及び左表示部２４を制御して、ＰＣ３００から入力される映像を表示させる表示機能、及び、表示を停止させる表示停止機能を含む機能を実行可能な制御部１２０を備え、制御部１２０は、接続装置１０への電源供給が開始されたときに、表示条件に基づく表示モードで映像表示部２０を起動させ、表示モードは、少なくとも、映像を右表示部２２及び左表示部２４に表示させ、表示停止機能を無効とする第１表示モードを含む。【選択図】図２
2019197251.tif 000002
【特許請求の範囲】
【請求項１】
画像表示部を備えた頭部装着型の表示装置と情報処理装置とが接続される接続装置であって、
前記画像表示部を制御して、前記情報処理装置から入力される映像を前記画像表示部に表示させる表示機能、及び、前記画像表示部の表示を停止させる表示停止機能を含む機能を実行可能な制御部と、
前記画像表示部の表示条件を記憶した記憶部と、を備え、
前記制御部は、前記接続装置への電源供給が開始されたときに、前記記憶部に記憶された前記表示条件に基づく表示モードで前記表示装置を起動させ、
前記表示モードは、少なくとも、前記表示機能により前記情報処理装置から入力される映像を前記画像表示部に表示させ、前記表示停止機能を無効とする第１表示モードを含む、接続装置。
【請求項２】
操作を受け付ける操作部を備え、
前記制御部は、前記操作部が受け付けた操作に基づき前記表示停止機能を実行可能であり、前記第１表示モードの実行中は前記操作部の操作にかかわらず前記表示停止機能を実行しない、請求項１記載の接続装置。
【請求項３】
前記表示モードは、前記制御部によって、前記表示機能を実行して前記情報処理装置から入力される映像を前記画像表示部に表示させ、前記操作部の操作に応じて前記表示停止機能を実行する第２表示モードを含む、請求項２記載の接続装置。
【請求項４】
前記表示モードは、前記制御部によって、前記画像表示部に映像を表示させず、前記操作部の操作に応じて前記表示機能を実行する第３表示モードを含む、請求項２または３記載の接続装置。
【請求項５】
前記表示装置に接続される第１接続部と、電源供給を受ける第２接続部と、前記情報処理装置に接続されて映像の入力を受け付ける第３接続部とを備え、
前記制御部は、前記第２接続部への電源供給が開始されたときに、前記記憶部に記憶された前記表示条件に基づく表示モードで前記表示装置を起動させる、請求項１から４のいずれか１項に記載の接続装置。
【請求項６】
前記第２接続部は前記第３接続部と一体に構成され、前記情報処理装置からの電源供給を受ける、請求項５記載の接続装置。
【請求項７】
画像表示部を備えた頭部装着型の表示装置であって、
情報処理装置に接続される接続部と、
前記情報処理装置から入力される映像を前記画像表示部に表示する表示機能、及び、前記画像表示部の表示を停止する表示停止機能を含む機能を実行可能な制御部と、
前記画像表示部の表示条件を記憶した記憶部と、を備え、
前記制御部は、前記表示装置への電源供給が開始されたときに、前記記憶部に記憶された前記表示条件に基づく表示モードで起動し、
前記表示モードは、少なくとも、前記表示機能により前記情報処理装置から入力される映像を前記画像表示部に表示し、前記表示停止機能を無効とする第１表示モードを含む、表示装置。
【請求項８】
画像表示部を備えた頭部装着型の表示装置と情報処理装置とが接続される接続装置の制御方法であって、
前記画像表示部を制御して、前記情報処理装置から入力される映像を前記画像表示部に表示させる表示機能、及び、前記画像表示部の表示を停止させる表示停止機能を含む機能を実行可能とされた場合に、
前記接続装置への電源供給が開始されたときに、記憶部に記憶された表示条件に基づく表示モードで前記表示装置を起動させ、
前記表示モードは、少なくとも、前記表示機能により前記情報処理装置から入力される映像を前記画像表示部に表示させ、前記表示停止機能を無効とする第１表示モードを含む、接続装置の制御方法。
【請求項９】
画像を表示する頭部装着型の画像表示部と、情報処理装置に接続される接続部と、を備え、前記情報処理装置から入力される映像を前記画像表示部に表示する表示機能、及び、前記画像表示部の表示を停止する表示停止機能を含む機能を実行可能に構成された表示装置の制御方法であって、
前記表示装置への電源供給が開始されたときに、記憶部に記憶された表示条件に基づく表示モードで起動し、前記表示モードは、少なくとも、前記表示機能により前記情報処理装置から入力される映像を前記画像表示部に表示し、前記表示停止機能を無効とする第１表示モードを含む、表示装置の制御方法。
【発明の詳細な説明】
【技術分野】
【０００１】
本発明は、接続装置、表示装置、接続装置の制御方法、及び、表示装置の制御方法に関する。
【背景技術】
【０００２】
従来、表示装置を外部装置に接続するものが知られている（例えば、特許文献１参照）。特許文献１に記載のヘッドマウントディスプレイは、カートリッジに記憶されたカートリッジデータによって、電話、音声入出力、表示、タッチ操作、画像調整等のヘッドマウントディスプレイの機能を設定する。
【先行技術文献】
【特許文献】
【０００３】
【特許文献１】特開２０１７−１８３８２６公報
【発明の概要】
【発明が解決しようとする課題】
【０００４】
特許文献１には、ヘッドマウントディスプレイが、ヘッドマウントディスプレイの機能のオンオフ状態を設定することが開示されている。しかしながら、従来、表示装置の機能のオン、オフに関する操作そのものについて設定する手法についての提案はない。
本発明は上記事情に鑑みてなされたものであり、表示装置の機能をオン、オフさせる機能についての設定を可能とすることを目的とする。
【課題を解決するための手段】
【０００５】
上記課題を解決するため、本発明は、画像表示部を備えた頭部装着型の表示装置と情報処理装置とが接続される接続装置であって、前記画像表示部を制御して、前記情報処理装置から入力される映像を前記画像表示部に表示させる表示機能、及び、前記画像表示部の表示を停止させる表示停止機能を含む機能を実行可能な制御部と、前記画像表示部の表示条件を記憶した記憶部と、を備え、前記制御部は、前記接続装置への電源供給が開始されたときに、前記記憶部に記憶された前記表示条件に基づく表示モードで前記表示装置を起動させ、前記表示モードは、少なくとも、前記表示機能により前記情報処理装置から入力される映像を前記画像表示部に表示させ、前記表示停止機能を無効とする第１表示モードを含む。
【０００６】
また、本発明は、操作を受け付ける操作部を備え、前記制御部は、前記操作部が受け付けた操作に基づき前記表示停止機能を実行可能であり、前記第１表示モードの実行中は前記操作部の操作にかかわらず前記表示停止機能を実行しない構成であってもよい。
【０００７】
また、本発明は、前記表示モードは、前記制御部によって、前記表示機能を実行して前記情報処理装置から入力される映像を前記画像表示部に表示させ、前記操作部の操作に応じて前記表示停止機能を実行する第２表示モードを含む構成であってもよい。
【０００８】
また、本発明は、前記表示モードは、前記制御部によって、前記画像表示部に映像を表示させず、前記操作部の操作に応じて前記表示機能を実行する第３表示モードを含む構成であってもよい。
【０００９】
また、本発明は、前記表示装置に接続される第１接続部と、電源供給を受ける第２接続部と、前記情報処理装置に接続されて映像の入力を受け付ける第３接続部とを備え、前記制御部は、前記第２接続部への電源供給が開始されたときに、前記記憶部に記憶された前記表示条件に基づく表示モードで前記表示装置を起動させる構成であってもよい。
【００１０】
また、本発明は、前記第２接続部は前記第３接続部と一体に構成され、前記情報処理装置からの電源供給を受ける構成であってもよい。
【００１１】
また、上記課題を解決するため、本発明は、画像表示部を備えた頭部装着型の表示装置であって、情報処理装置に接続される接続部と、前記情報処理装置から入力される映像を前記画像表示部に表示する表示機能、及び、前記画像表示部の表示を停止する表示停止機能を含む機能を実行可能な制御部と、前記画像表示部の表示条件を記憶した記憶部と、を備え、前記制御部は、前記表示装置への電源供給が開始されたときに、前記記憶部に記憶された前記表示条件に基づく表示モードで起動し、前記表示モードは、少なくとも、前記表示機能により前記情報処理装置から入力される映像を前記画像表示部に表示し、前記表示停止機能を無効とする第１表示モードを含む。
【００１２】
また、上記課題を解決するため、本発明は、画像表示部を備えた頭部装着型の表示装置と情報処理装置とが接続される接続装置の制御方法であって、前記画像表示部を制御して、前記情報処理装置から入力される映像を前記画像表示部に表示させる表示機能、及び、前記画像表示部の表示を停止させる表示停止機能を含む機能を実行可能とされた場合に、前記接続装置への電源供給が開始されたときに、記憶部に記憶された表示条件に基づく表示モードで前記表示装置を起動させ、前記表示モードは、少なくとも、前記表示機能により前記情報処理装置から入力される映像を前記画像表示部に表示させ、前記表示停止機能を無効とする第１表示モードを含む。
【００１３】
また、上記課題を解決するため、本発明は、画像を表示する頭部装着型の画像表示部と、情報処理装置に接続される接続部と、を備え、前記情報処理装置から入力される映像を前記画像表示部に表示する表示機能、及び、前記画像表示部の表示を停止する表示停止機能を含む機能を実行可能に構成された表示装置の制御方法であって、前記表示装置への電源供給が開始されたときに、記憶部に記憶された表示条件に基づく表示モードで起動し、前記表示モードは、少なくとも、前記表示機能により前記情報処理装置から入力される映像を前記画像表示部に表示し、前記表示停止機能を無効とする第１表示モードを含む。
【００１４】
本発明は、上述した接続装置、表示機器、接続装置の制御方法、及び、表示装置の接続方法以外の種々の形態で実現することも可能である。例えば、上記の表示方法をコンピューターにより実行するためのプログラムとして実現してもよい。また、上記プログラムを記録した記録媒体、上記プログラムを配信するサーバー装置、上記プログラムを伝送する伝送媒体、上記プログラムを搬送波内に具現化したデータ信号等の形態で実現できる。
【図面の簡単な説明】
【００１５】
【図１】第１実施形態の表示システムの概略構成を示す図。
【図２】表示システムのブロック図。
【図３】ＨＭＤの制御系の機能ブロック図。
【図４】ＨＭＤに接続される装置のブロック図。
【図５】ＨＭＤの動作を示すフローチャート。
【図６】ＨＭＤの動作を示すフローチャート。
【図７】ＨＭＤの動作を示すフローチャート。
【図８】ＨＭＤの動作を示すフローチャート。
【図９】第２実施形態の表示システムのブロック図。
【発明を実施するための形態】
【００１６】
［１．第１実施形態］
［１−１．表示システムの構成］
図１は、本発明を適用した第１実施形態に係る表示システム１の概略構成を示す図である。
表示システム１は、頭部装着型の表示装置であるＨＭＤ１００を備える。ＨＭＤは、Ｈｅａｄ  Ｍｏｕｎｔｅｄ  Ｄｉｓｐｌａｙの略である。ＨＭＤ１００は、使用者の頭部に装着される映像表示部２０と、接続装置１０とを備え、映像表示部２０により、使用者の頭部に装着された状態で使用者に虚像を視認させる装置である。映像表示部２０は、本発明の表示装置に相当する。以下の説明において、使用者は、ＨＭＤ１００を装着して使用するユーザーを指す。
【００１７】
接続装置１０は、箱形のケースに、コネクター１１Ａ、１１Ｂ、１１Ｃ、１１Ｄを備え、コネクター１１Ａに映像表示部２０が表示部接続ケーブル４０を介して接続される。以下、コネクター１１Ａ、１１Ｂ、１１Ｃ、１１Ｄを区別しない場合はコネクター１１と表記する。接続装置１０のケースは、筐体、或いは本体ということもできる。
【００１８】
表示システム１は、ＨＭＤ１００に外部装置を接続して構成されるシステムである。コネクター１１Ｂ、１１Ｃ、１１Ｄは、ＨＭＤ１００の外部装置が接続されるインターフェイスである。ＨＭＤ１００に接続される外部装置の種類は限定されないが、本実施形態では、コネクター１１ＢにＰＣ３００が接続され、右表示部２２に映像出力装置４００が接続され、コネクター１１Ｄに電源装置５００が接続される例を示す。ＰＣはＰｅｒｓｏｎａｌ  Ｃｏｍｐｕｔｅｒの略である。ＰＣ３００、及び映像出力装置４００は、本発明の情報処理装置に相当する。なお、ＰＣ３００及び映像出力装置４００は情報処理装置の一例に過ぎない。例えば、デスクトップ型ＰＣ、ノート型ＰＣ、タブレット型ＰＣ、スマートフォン等を情報処理装置として接続装置１０に接続可能である。情報処理装置として機能するＰＣの一態様として、接続装置１０のコネクター１１に直接接続されるスティック型の本体を有する、いわゆるスティック型のＰＣを用いてもよい。
【００１９】
コネクター１１は、通信ケーブルを接続する有線インターフェイスであり、この通信ケーブルにより、接続装置１０は外部の装置と接続される。コネクター１１Ａは、表示部接続ケーブル４０を接続する端子、及び、コネクター１１Ａを介して信号を送受信するインターフェイス回路を備える。コネクター１１Ｂも同様に、ケーブルを接続する端子と、コネクター１１Ｂを介して信号を送受信するインターフェイス回路とを備える。コネクター１１Ｃ、１１Ｄも同様である。
ここで、コネクター１１Ａは、第１接続部に相当する。コネクター１１Ｂは、第２接続部および第３接続部としての機能を備える。つまり、コネクター１１Ｂは、第２接続部に相当する構成であり、第３接続部に相当する構成でもあり、第２接続部が第３接続部と一体に構成された一態様である。コネクター１１Ｃは第３接続部として機能し、コネクター１１Ｄは第２接続部として機能する。
【００２０】
コネクター１１Ａは、接続装置１０に映像表示部２０を接続するために設けられる。表示部接続ケーブル４０は、接続装置１０から映像表示部２０に対する電源供給を行うとともに、映像表示部２０と接続装置１０とが相互にデータを送受信する機能を有する。
【００２１】
コネクター１１Ｂ、１１Ｃ、１１Ｄは、例えば、公知の通信インターフェイス規格に準拠するコネクターであり、同一形状のコネクターであってもよく、異なる種類のコネクターであってもよい。
【００２２】
本実施形態では、一例として、コネクター１１Ｂは映像データ及び各種データの入出力に対応するインターフェイスであり、第１接続ケーブル４２を介してＰＣ３００が接続される。コネクター１１Ｃは、少なくとも映像データの入出力に対応するインターフェイスであり、第２接続ケーブル４４を介して映像出力装置４００が接続される。コネクター１１Ｄは、少なくとも接続装置１０に対する電源供給に対応するインターフェイスであり、第３接続ケーブル４６を介して電源装置５００が接続される。
【００２３】
コネクター１１Ｂとして、例えば、ＵＳＢ−ＴｙｐｅＣ規格のコネクターを採用することができる。ＵＳＢ−ＴｙｐｅＣに対応するインターフェイスは、ＵＳＢ３．１規格に従ったデータの伝送、及び、２０ボルト、５アンペア以内の直流電流の供給が可能である。また、ＵＳＢ−ＴｙｐｅＣの代替モードの機能として、ＨＤＭＩ規格の映像データ、ＭＨＬ規格の映像データ等を伝送できる。ＰＣ３００は、第１接続ケーブル４２を介して、電源供給、データの送受信、及び、映像や音声のストリーミングデータの供給等を行うことができる。ここで、ＵＳＢは、Ｕｎｉｖｅｒｓａｌ  Ｓｅｒｉａｌ  Ｂｕｓの略である。ＭＨＬはＭｏｂｉｌｅ  Ｈｉｇｈ−ｄｅｆｉｎｉｔｉｏｎ  Ｌｉｎｋの略であり、ＨＤＭＩはＨｉｇｈ  Ｄｅｆｉｎｉｔｉｏｎ  Ｍｕｌｔｉｍｅｄｉａ  Ｉｎｔｅｒｆａｃｅの略である。ＵＳＢ−ＴｙｐｅＣの代替モードは、Ａｌｔｅｒｎａｔｉｖｅモードとして知られている。ＨＤＭＩは登録商標である。
【００２４】
コネクター１１Ｃとして、例えば、ＨＤＭＩ規格に準拠したコネクターを採用できる。また、コネクター１１Ｄは、ＵＳＢ−ＴｙｐｅＣ規格のコネクターや、ＭｉｃｒｏＵＳＢコネクターを採用することができる。コネクター１１Ｄとしてデータの伝送と電源供給とが可能なインターフェイス規格のコネクターを採用し、接続装置１０が、コネクター１１Ｄにより電源供給のみを行う構成とすることもできる。
【００２５】
図１に示す例では、コネクター１１Ｃには、映像や音声のストリーミングデータを第２接続ケーブル４４により出力する映像出力装置４００が接続される。映像出力装置４００は、ＣＤやＤＶＤ等のディスク型記録媒体等に記録されたコンテンツデータを再生する装置である。また、コネクター１１Ｄには、第３接続ケーブル４６を介して、５ボルトの直流電源を出力する電源装置５００が接続され、接続装置１０はコネクター１１Ｄにより電源供給を受ける。
【００２６】
映像表示部２０は、本実施形態では眼鏡形状を有する。映像表示部２０は、右保持部２１と、左保持部２３と、前部フレーム２７とを有する本体に、右表示部２２、左表示部２４、右導光板２６、及び左導光板２８を備える。
右表示部２２および左表示部２４は、本発明の画像表示部を構成する。すなわち、右表示部２２と左表示部２４のいずれか一方のみを画像表示部としてもよいし、右表示部２２と左表示部２４の組合せを、画像表示部に相当する構成とすることもできる。
【００２７】
右保持部２１及び左保持部２３は、前部フレーム２７の両端部から後方に延び、使用者の頭部Ｕに映像表示部２０を保持する。前部フレーム２７の両端部のうち映像表示部２０の装着時に頭部Ｕの右側に位置する端部を端部ＥＲとし、左側に位置する端部を端部ＥＬとする。右保持部２１は、前部フレーム２７の端部ＥＲから、映像表示部２０装着状態において使用者の右側頭部に対応する位置まで延伸して設けられる。左保持部２３は、端部ＥＬから、映像表示部２０の装着状態において使用者の左側頭部に対応する位置まで延伸して設けられる。
【００２８】
右導光板２６及び左導光板２８は、前部フレーム２７に設けられる。右導光板２６は、映像表示部２０の装着状態において使用者の右眼の眼前に位置し、右眼に画像を視認させる。左導光板２８は、映像表示部２０の装着状態において使用者の左眼の眼前に位置し、左眼に画像を視認させる。
【００２９】
前部フレーム２７は、右導光板２６の一端と左導光板２８の一端とを互いに連結した形状を有し、この連結位置は、使用者が映像表示部２０を装着する装着状態で、使用者の眉間に対応する。前部フレーム２７は、右導光板２６と左導光板２８との連結位置において、映像表示部２０の装着状態で使用者の鼻に当接する鼻当て部を設けてもよい。この場合、鼻当て部と右保持部２１及び左保持部２３とにより映像表示部２０を使用者の頭部に保持できる。また、右保持部２１及び左保持部２３に、映像表示部２０の装着状態において使用者の後頭部に接する、ベルトを連結してもよく、この場合、ベルトによって映像表示部２０を使用者の頭部に保持できる。
【００３０】
右表示部２２及び左表示部２４は、それぞれ、光学ユニット及び周辺回路をユニット化したモジュールである。
右表示部２２は、右導光板２６による画像の表示に係るユニットであり、右保持部２１に設けられ、装着状態において使用者の右側頭部の近傍に位置する。左表示部２４は、左導光板２８による画像の表示に係るユニットであり、左保持部２３に設けられ、装着状態において使用者の左側頭部の近傍に位置する。なお、右表示部２２及び左表示部２４を総称して単に「表示駆動部」と呼ぶこともできる。
【００３１】
右導光板２６及び左導光板２８は、光透過性の樹脂等によって形成される光学部であり、右表示部２２及び左表示部２４が出力する画像光を、使用者の眼に導く。右導光板２６及び左導光板２８は、例えばプリズムである。
【００３２】
右導光板２６及び左導光板２８の表面に、調光板を設けてもよい。調光板は、光の波長域により透過率が異なる薄板上の光学素子であり、いわゆる波長フィルターとして機能する。調光板は、例えば、使用者の眼の側とは反対の側である前部フレーム２７の表側を覆うように配置される。この調光板の光学特性を適宜選択することによって、可視光、赤外光及び紫外光等の任意の波長域の光の透過率を調整することができ、外部から右導光板２６及び左導光板２８に入射し、右導光板２６及び左導光板２８を透過する外光の光量を調整できる。
【００３３】
ＨＭＤ１００はシースルー型の表示装置であり、使用者の右眼には、右導光板２６により導かれた画像光と、右導光板２６を透過した外光とが入射する。同様に、左眼には、左導光板２８により導かれた画像光と、左導光板２８を透過した外光とが入射する。このように、ＨＭＤ１００は、内部で処理した画像に対応する画像光と外光とを重ねて使用者の眼に入射させ、使用者にとっては、右導光板２６及び左導光板２８を透かして外景が見え、この外景に重ねて、画像光による画像が視認される。
【００３４】
映像表示部２０の前部フレーム２７には、照度センサー６５が配置される。照度センサー６５は、映像表示部２０を装着する使用者の前方からの外光を受光する。
カメラ６１は、映像表示部２０の前部フレーム２７に配設される。カメラ６１の撮像範囲及び撮像方向については後述する。カメラ６１は、右導光板２６及び左導光板２８を透過する外光を遮らない位置に設けられる。図１の例では、カメラ６１が前部フレーム２７の端部ＥＲ側に配置されているが、端部ＥＬ側に配置されてもよく、右導光板２６と左導光板２８との連結部に配置されてもよい。
【００３５】
前部フレーム２７にはカメラ６１が配設される。カメラ６１は、右導光板２６及び左導光板２８を透過する外光を遮らない位置に設けられる。図１の例では、カメラ６１が前部フレーム２７の端部ＥＲ側に配置されているが、端部ＥＬ側に配置されてもよく、右導光板２６と左導光板２８との連結部に配置されてもよい。
【００３６】
カメラ６１は、ＣＣＤやＣＭＯＳ等の撮像素子及び撮像レンズ等を備えるデジタルカメラであり、本実施形態のカメラ６１は単眼カメラであるが、ステレオカメラで構成してもよい。カメラ６１は、ＨＭＤ１００を装着した状態における使用者の視界方向の少なくとも一部の外景を撮像し、カメラ６１の画角は、使用者の正面方向を向き、使用者が映像表示部２０を透過して視認する外景と重複する。外景とは、使用者が肉眼により知覚する外部の実空間をいう。カメラ６１の画角の広さは適宜設定可能である。
【００３７】
前部フレーム２７には、ＬＥＤインジケーター６７が配置される。ＬＥＤインジケーター６７は、端部ＥＲにおいてカメラ６１の近傍に配置され、カメラ６１の動作中に点灯して、撮像中であることを報知する。
【００３８】
前部フレーム２７には、距離センサー６４が設けられる。距離センサー６４は、予め設定された測定方向に位置する測定対象物までの距離を検出する。距離センサー６４は、例えば、ＬＥＤやレーザーダイオード等の光源と、光源が発する光が測定対象物に反射する反射光を受光する受光部とを有する光反射式距離センサーであってもよい。また、距離センサー６４は、超音波を発する音源と、測定対象物で反射する超音波を受信する検出部とを備える超音波式の距離センサーであってもよい。また、距離センサー６４は、レーザーレンジスキャナーを用いてもよく、この場合、映像表示部２０の前方を含む広範囲の領域に対し測域を行える。
【００３９】
映像表示部２０の右表示部２２及び左表示部２４は、それぞれ、接続装置１０に接続される。ＨＭＤ１００では、左保持部２３に表示部接続ケーブル４０が接続され、この表示部接続ケーブル４０に繋がる配線が映像表示部２０内部に敷設され、右表示部２２と左表示部２４のそれぞれが接続装置１０に接続される。
【００４０】
接続ケーブル４０は、オーディオコネクター３６を備え、ステレオヘッドホンを構成する右イヤホン３２及び左イヤホン３４と、マイク６３とを有するヘッドセット３０が、オーディオコネクター３６に接続される。右イヤホン３２は、使用者の右耳に装着され、左イヤホン３４は、使用者の左耳に装着される。右イヤホン３２及び左イヤホン３４は、音声出力部ということもできる。
【００４１】
右イヤホン３２及び左イヤホン３４は、接続装置１０が出力する音声信号に基づき音声を出力する。
マイク６３は、音声を集音して、音声信号を接続装置１０に出力する。マイク６３は、例えばモノラルマイクであってもステレオマイクであってもよく、指向性を有するマイクであってもよいし、無指向性のマイクであってもよい。
【００４２】
接続装置１０は、使用者により操作される被操作部として、電源ボタン１２、輝度調整ボタン１３、１４、及び、音量調整ボタン１５、１６を備える。これらの被操作部は接続装置１０の本体の表面に配置され、例えば、使用者の手指により操作される。
【００４３】
電源ボタン１２は、ＨＭＤ１００の電源のオン／オフを指示するボタンである。輝度調整ボタン１３、１４は映像表示部２０により表示する映像の表示輝度を調整するためのボタンである。輝度調整ボタン１３は輝度の増大を指示し、輝度調整ボタン１４は輝度の低減を指示する。音量調整ボタン１５、１６は、右イヤホン３２及び左イヤホン３４から出力される音声の音量を調整するためのボタンである。音量調整ボタン１５は音量の増大を指示し、音量調整ボタン１６は音量の低減を指示する。
【００４４】
また、接続装置１０は、ＨＭＤ１００の動作状態を表示するインジケーター１７を備える。インジケーター１７は、例えば、ＬＥＤを備え、ＨＭＤ１００の電源がオンの間、赤色に点灯する。ここで、ＬＥＤはＬｉｇｈｔ  Ｅｍｉｔｔｉｎｇ  Ｄｉｏｄｅの略である。また、インジケーター１７は、上述した被操作部に対する操作を受け付けた場合に白色に点灯する。
【００４５】
［１−２．表示システムの制御系］
図２は、表示システム１のブロック図であり、ＨＭＤ１００の構成を詳細に示す。
映像表示部２０の右表示部２２は、右表示部基板２１０を有する。右表示部基板２１０には、表示部接続ケーブル４０に接続される右Ｉ／Ｆ部２１１、右Ｉ／Ｆ部２１１を介して接続装置１０から入力されるデータを受信する受信部２１３、及び、ＥＥＰＲＯＭ２１５が実装される。右Ｉ／Ｆ部２１１は、受信部２１３、ＥＥＰＲＯＭ２１５、温度センサー２１７、カメラ６１、距離センサー６４、照度センサー６５、及びＬＥＤインジケーター６７を、接続装置１０に接続する。受信部２１３は、ＯＬＥＤユニット２２１を接続装置１０に接続する。
【００４６】
左表示部２４は、左表示部基板２３０を有する。左表示部基板２３０には、表示部接続ケーブル４０に接続される左Ｉ／Ｆ部２３１、及び、左Ｉ／Ｆ部２３１を介して接続装置１０から入力されるデータを受信する受信部２３３が実装される。また、左表示部基板２３０には、６軸センサー２３５、及び、磁気センサー２３７が実装される。
左Ｉ／Ｆ部２３１は、受信部２３３、６軸センサー２３５、磁気センサー２３７、及び温度センサー２３９を、接続装置１０に接続する。受信部２３３は、ＯＬＥＤユニット２４１を接続装置１０に接続する。
【００４７】
Ｉ／Ｆはインターフェイスの略である。ＥＥＰＲＯＭはＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略である。ＯＬＥＤは、Ｏｒｇａｎｉｃ  Ｌｉｇｈｔ  Ｅｍｉｔｔｉｎｇ  Ｄｉｏｄｅの略である。また、以下において受信部２１３、及び、受信部２３３を、それぞれＲｘ２１３、Ｒｘ２３３と表記する。
【００４８】
ＥＥＰＲＯＭ２１５は、各種のデータを不揮発的に記憶する。ＥＥＰＲＯＭ２１５は、例えば、映像表示部２０が備えるＯＬＥＤユニット２２１、２４１の発光特性や表示特性に関するデータ、右表示部２２または左表示部２４が備えるセンサーの特性に関するデータなどを記憶する。具体的には、ＯＬＥＤユニット２２１、２４１のガンマ補正に係るパラメーター、温度センサー２１７、２３９の検出値を補償するデータ等を記憶する。これらのデータは、ＨＭＤ１００の工場出荷時の検査によって生成され、ＥＥＰＲＯＭ２１５に書き込まれる。ＥＥＰＲＯＭ２１５が記憶するデータは、制御部１２０により読取り可能である。
【００４９】
カメラ６１は、右Ｉ／Ｆ部２１１を介して入力される信号に従って撮像を実行し、撮像画像データを、右Ｉ／Ｆ部２１１に出力する。照度センサー６５は、外光を受光し、受光量または受光強度に対応する検出値を出力する。ＬＥＤインジケーター６７は、右Ｉ／Ｆ部２１１を介して入力される制御信号または駆動電流に従って点灯する。
温度センサー２１７は、ＯＬＥＤユニット２２１の温度を検出し、検出温度に対応する電圧値あるいは抵抗値を、検出値として出力する。
【００５０】
距離センサー６４は、距離検出を実行し、検出結果を示す信号を、右Ｉ／Ｆ部２１１を介して接続装置１０に出力する。距離センサー６４は、例えば、赤外線式深度センサー、超音波式距離センサー、Ｔｉｍｅ  Ｏｆ  Ｆｌｉｇｈｔ式距離センサー、画像検出と音声検出とを組み合わせた距離検出ユニット等を用いることができる。また、ステレオカメラや単眼カメラによるステレオ撮影で得られる画像を処理して距離を検出する構成であってもよい。
【００５１】
受信部２１３は、右Ｉ／Ｆ部２１１を介して接続装置１０から伝送される表示用の映像データを受信し、ＯＬＥＤユニット２２１に出力する。ＯＬＥＤユニット２２１は、接続装置１０が伝送する映像データに基づく映像を表示する。
また、受信部２３３は、左Ｉ／Ｆ部２３１を介して接続装置１０から伝送される表示用の映像データを受信し、ＯＬＥＤユニット２４１に出力する。ＯＬＥＤユニット２２１、２４１は、接続装置１０が伝送する映像データに基づく映像を表示する。
【００５２】
６軸センサー２３５は、３軸加速度センサー、及び、３軸ジャイロセンサーを備えるモーションセンサーである。６軸センサー２３５は、上記のセンサーがモジュール化されたＩＭＵを採用してもよい。磁気センサー２３７は、例えば、３軸の地磁気センサーである。ジャイロセンサーは、角速度センサーとも呼ばれる。また、モーションセンサーは、完成センサーと言い換えることができる。ＩＭＵは、Ｉｎｅｒｔｉａｌ  Ｍｅａｓｕｒｅｍｅｎｔ  Ｕｎｉｔの略である。
【００５３】
温度センサー２３９は、ＯＬＥＤユニット２４１の温度を検出し、検出温度に対応する電圧値あるいは抵抗値を、検出値として出力する。
【００５４】
映像表示部２０の各部は、表示部接続ケーブル４０により接続装置１０から供給される電力により動作する。
【００５５】
映像表示部２０は、右表示部２２に電源部２２９を備え、左表示部２４に電源部２４９を備える。電源部２２９は、接続装置１０が表示部接続ケーブル４０を介して供給する電力を、右表示部基板２１０を含む右表示部２２の各部に分配し、供給する。同様に、電源部２４９は、接続装置１０が表示部接続ケーブル４０を介して供給する電力を、左表示部基板２３０を含む左表示部２４の各部に分配し、供給する。右表示部２２及び左表示部２４は、電圧を変換する変換回路等を備えてもよい。
【００５６】
接続装置１０は、Ｉ／Ｆ部１１０、制御部１２０、センサー制御部１２２、表示制御部１２４、電源制御部１２６、不揮発性記憶部１３０、操作部１４０、接続部１４５、及び、音声処理部１４７を備える。
【００５７】
Ｉ／Ｆ部１１０は、コネクター１１Ｂ、１１Ｃ、１１Ｄを備える。また、Ｉ／Ｆ部１１０は、コネクター１１Ｂ、１１Ｃ、１１Ｄに接続されて、各種通信規格に準拠した通信プロトコルを実行するインターフェイス回路を備える。
【００５８】
Ｉ／Ｆ部１１０は、例えば、コネクター１１Ｂ、１１Ｃ、１１Ｄ及びインターフェイス回路を実装したインターフェイス基板であってもよい。また、接続装置１０の制御部１２０やセンサー制御部１２２、表示制御部１２４、電源制御部１２６が、図示しない接続装置メイン基板に実装される構成としてもよい。この場合、接続装置メイン基板にＩ／Ｆ部１１０のコネクター１１Ｂ、１１Ｃ、１１Ｄ及びインターフェイス回路を実装してもよい。
また、Ｉ／Ｆ部１１０は、例えば、外部の記憶装置や記憶媒体を接続可能なメモリーカード用インターフェイス等を備えてもよいし、Ｉ／Ｆ部１１０を無線通信インターフェイスで構成してもよい。
【００５９】
制御部１２０は、接続装置１０の各部を制御する。制御部１２０は、後述するプロセッサー１５０（図３）によりプログラムを実行して、ソフトウェアとハードウェアとの協働によりＨＭＤ１００の各部を制御する。制御部１２０には、不揮発性記憶部１３０、操作部１４０、接続部１４５、及び音声処理部１４７が接続される。
【００６０】
センサー制御部１２２は、カメラ６１、距離センサー６４、照度センサー６５、温度センサー２１７、６軸センサー２３５、磁気センサー２３７、及び、温度センサー２３９を制御する。具体的には、センサー制御部１２２は、制御部１２０の制御に従って各センサーのサンプリング周期の設定及び初期化を行い、各センサーのサンプリング周期に合わせて、各センサーへの通電、制御データの送信、検出値の取得等を実行する。
【００６１】
センサー制御部１２２は、Ｉ／Ｆ部１１０のコネクター１１Ｂに接続され、予め設定されたタイミングで、各センサーから取得した検出値に関するデータをコネクター１１Ｂに出力する。コネクター１１Ｂに接続された装置は、ＨＭＤ１００の各センサーの検出値や、カメラ６１の撮像画像データを取得できる。本実施形態では、センサー制御部１２２により、各センサーの検出値およびカメラ６１の撮像画像データが、ＰＣ３００に出力される。センサー制御部１２２が出力するデータは、検出値を含むデジタルデータであってもよい。また、センサー制御部１２２は、各センサーの検出値をもとに演算処理した結果のデータを出力してもよい。例えば、センサー制御部１２２は、複数のセンサーの検出値を統合的に処理し、いわゆるセンサーフュージョン処理部として機能する。センサーフュージョンを実行することにより、センサー制御部１２２は、センサーの検出値から求めたデータ、例えば、映像表示部２０の動きの軌跡データや、映像表示部２０の相対座標データ等を出力する。センサー制御部１２２は、コネクター１１Ｂに接続された装置との間で、データの伝送に関する各種制御データを送受信する機能を有していてもよい。
【００６２】
表示制御部１２４は、Ｉ／Ｆ部１１０に入力される画像データや映像データに基づく画像を映像表示部２０により表示するための各種処理を実行する。例えば、表示制御部１２４は、フレームの切り出し、解像度変換、中間フレーム生成、フレームレート変換等の各種処理を実行する。解像度変換は、いわゆるスケーリングを含む。表示制御部１２４は、ＯＬＥＤユニット２２１、及び、ＯＬＥＤユニット２４１の各々に対応する画像データを接続部１４５に出力する。接続部１４５に入力された画像データは、コネクター１１Ａから右Ｉ／Ｆ部２１１及び左Ｉ／Ｆ部２３１に伝送される。
【００６３】
表示制御部１２４は、例えば、Ｉ／Ｆ部１１０に入力された映像データが３Ｄ映像データである場合に、３Ｄ映像デコードを実行する。３Ｄ映像は、広義の立体映像を含む。３Ｄ映像デコードの処理において、表示制御部１２４は、３Ｄ映像データから右眼用のフレームと左眼用のフレームとを生成する。Ｉ／Ｆ部１１０に入力される３Ｄ映像データの形式は、例えば、サイドバイサイド形式、トップアンドボトム形式、フレームパッキング形式等が挙げられるが、３Ｄモデルデータであってもよい。
【００６４】
表示制御部１２４は、コネクター１１Ｂ、及び、コネクター１１Ｃに接続される。表示制御部１２４は、コネクター１１Ｂに入力される映像データ、及び、コネクター１１Ｃに入力される映像データを対象として、処理を実行する。また、表示制御部１２４は、コネクター１１Ｂ、またはコネクター１１Ｃに接続された装置との間で、映像データの伝送に関する各種制御データを送受信する機能を有していてもよい。
【００６５】
本実施形態では、コネクター１１ＢがＵＳＢ−ＴｙｐｅＣコネクターで構成される。表示制御部１２４は、コネクター１１Ｂを介して、ＵＳＢ−ＴｙｐｅＣの代替モードで伝送される映像データを受信する。コネクター１１Ｃは、例えば、ＨＤＭＩインターフェイスであり、表示制御部１２４はコネクター１１Ｃに入力されるＨＤＭＩ形式の映像データを受信する。
【００６６】
センサー制御部１２２、及び／または表示制御部１２４は、プロセッサーがプログラムを実行することにより、ソフトウェアとハードウェアとの協働により実現されてもよい。すなわち、センサー制御部１２２及び表示制御部１２４は、プロセッサーにより構成され、プログラムを実行することで上記の動作を実行する。この例で、センサー制御部１２２及び表示制御部１２４は、制御部１２０を構成するプロセッサーがプログラムを実行することで実現されてもよい。言い換えれば、プロセッサーがプログラムを実行することで、制御部１２０、表示制御部１２４、及びセンサー制御部１２２として機能してもよい。ここで、プロセッサーは、コンピューターと言い換えることができる。
【００６７】
また、表示制御部１２４、及び、センサー制御部１２２は、ＤＳＰやＦＰＧＡ等、プログラムされたハードウェアにより構成されてもよい。また、センサー制御部１２２及び表示制御部１２４を統合して、ＳｏＣ−ＦＰＧＡとして構成してもよい。ＤＳＰはＤｉｇｉｔａｌ  Ｓｉｇｎａｌ  Ｐｒｏｃｅｓｓｏｒの略であり、ＦＰＧＡはＦｉｅｌｄ  Ｐｒｏｇｒａｍｍａｂｌｅ  Ｇａｔｅ  Ａｒｒａｙの略であり、ＳｏＣはＳｙｓｔｅｍ−ｏｎ−ａ−Ｃｈｉｐの略である。
【００６８】
電源制御部１２６は、コネクター１１Ｃ及びコネクター１１Ｄに接続される。電源制御部１２６は、コネクター１１Ｃ、１１Ｄから供給される電力に基づき、接続装置１０の各部および映像表示部２０に対する電源供給を行う。また、電源制御部１２６は、図示しない電圧変換回路を備え、電圧を変換して接続装置１０及び映像表示部２０の各部に供給する構成であってもよい。電源制御部１２６は、ロジック回路や、ＦＰＧＡ等のプログラムされた半導体デバイスで構成されてもよい。また、電源制御部１２６をセンサー制御部１２２、及び／または表示制御部１２４と共通のハードウェアで構成してもよい。
【００６９】
センサー制御部１２２、表示制御部１２４及び電源制御部１２６は、データ処理を行うためのワークメモリーを具備してもよく、制御部１２０のメモリー１６０（図３）を利用して処理を行ってもよい。
【００７０】
操作部１４０は、接続装置１０が備える被操作部に対する操作を検出し、操作内容を示すデータ、または、操作された被操作部を示す操作信号を制御部１２０に出力する。
【００７１】
音声処理部１４７は、制御部１２０から入力される音声データに従って、音声信号を生成し、接続部１４５に出力する。この音声信号は接続部１４５からオーディオコネクター３６を介して右イヤホン３２及び左イヤホン３４に出力される。また、音声処理部１４７は、制御部１２０の制御に従って、音声信号のボリュームを調整する。また、音声処理部１４７は、マイク６３が集音した音声の音声データを生成し、制御部１２０に出力する。この音声データは、制御部１２０により、映像表示部２０が備えるセンサーの検出値と同様に処理されてもよい。
【００７２】
また、接続装置１０は図示しないバッテリーを備え、このバッテリーから接続装置１０及び映像表示部２０の各部に電力を供給する構成であってもよい。接続装置１０が備えるバッテリーは、充電可能な二次電池であってもよい。
【００７３】
図３は、ＨＭＤ１００の制御系の機能ブロック図であり、制御部１２０、及び、不揮発性記憶部１３０の機能的構成を詳細に示す。
制御部１２０は、プロセッサー１５０、及び、メモリー１６０を備える。プロセッサー１５０は、ＣＰＵやマイコン等で構成され、プログラムを実行することによって、ソフトウェアとハードウェアとの協働によりＨＭＤ１００の各部を制御する。プロセッサー１５０は、ＤＳＰやＦＰＧＡ等のプログラムされたハードウェアであってもよい。
【００７４】
メモリー１６０は、プロセッサー１５０のワークエリアを形成するＲＡＭ、制御プログラムを記憶するＲＯＭ等で構成される。また、制御部１２０は、プロセッサー１５０、及びメモリー１６０を統合した半導体デバイスであってもよい。ＣＰＵはＣｅｎｔｒａｌ  Ｐｒｏｃｅｓｓｉｎｇ  Ｕｎｉｔの略であり、ＲＡＭはＲａｎｄｏｍ  Ａｃｃｅｓｓ  Ｍｅｍｏｒｙの略であり、ＲＯＭはＲｅａｄ  Ｏｎｌｙ  Ｍｅｍｏｒｙの略である。
【００７５】
不揮発性記憶部１３０は、制御部１２０が処理するデータ等を不揮発的に記憶する記憶装置である。不揮発性記憶部１３０は、例えば、ＨＤＤ等の磁気的記録装置、或いは、フラッシュメモリー等の半導体記憶素子を用いた記憶装置である。ＨＤＤは、Ｈａｒｄ  Ｄｉｓｋ  Ｄｒｉｖｅの略である。
【００７６】
不揮発性記憶部１３０は、プロセッサー１５０により実行される制御プログラム１３１を記憶する。また、不揮発性記憶部１３０は、プロセッサー１５０が処理するデータとして、設定データ１３２、表示条件データ１３３、センサーデータ１３４を記憶する。表示条件データ１３３は、本発明の表示条件に相当し、不揮発性記憶部１３０は記憶部に相当する。
【００７７】
プロセッサー１５０は、プログラムを実行することにより、基本制御部１５１、接続検出部１５２、設定部１５３、電源供給制御部１５４、映像出力制御部１５５、及び、センサーデータ制御部１５６を構成する。
【００７８】
基本制御部１５１は、ＨＭＤ１００の各部を制御する制御部であり、いわゆるオペレーティングシステムの機能を実行する。また、基本制御部１５１は、オペレーティングシステム上で動作するアプリケーションプログラムの機能を実行してもよい。制御部１２０がオペレーティングシステムを実行する構成は一態様に過ぎず、プロセッサー１５０が、プログラムされたハードウェアであり、オペレーティングシステムを用いない構成に、本発明を適用することも勿論可能である。
【００７９】
基本制御部１５１は、操作部１４０により検出された操作内容を判定する。また、基本制御部１５１は、音声データを音声処理部１４７に出力し、この音声データに基づく音声信号を右イヤホン３２及び左イヤホン３４に出力させる。また、基本制御部１５１は、操作部１４０により検出された操作に基づき、音声処理部１４７が出力する音声信号のボリュームを調整する。
【００８０】
基本制御部１５１は、ＬＥＤインジケーター６７への通電開始及び停止を制御する。例えば、カメラ６１が撮像を開始及び終了するタイミングに合わせて、ＬＥＤインジケーター６７を点灯または点滅させる。
【００８１】
接続検出部１５２は、センサー制御部１２２、表示制御部１２４、電源制御部１２６、及び、接続部１４５を制御して、コネクター１１Ａ、１１Ｂ、１１Ｃ、１１Ｄの接続状態を検出する。接続検出部１５２は、コネクター１１Ａに映像表示部２０が接続されているか否かを判定する。また、接続検出部１５２は、コネクター１１Ｂ、１１Ｃ、１１Ｄに対する外部装置の接続の有無と、接続された外部装置の判定を行う。接続検出部１５２は、センサー制御部１２２、表示制御部１２４及び電源制御部１２６がＩ／Ｆ部１１０を介して接続された各装置に適した動作を実行するように、センサー制御部１２２、表示制御部１２４及び電源制御部１２６を制御する。
【００８２】
本実施形態では、Ｉ／Ｆ部１１０が、有線接続されるコネクター１１Ａ、１１Ｂ、１１Ｃ、１１Ｄを備える構成を例示する。この構成において、接続検出部１５２は、コネクター１１Ａ、１１Ｂ、１１Ｃ、１１Ｄに、各コネクターに適合するケーブルが接続されたことを検出してもよい。或いは、接続検出部１５２は、コネクター１１Ａ、１１Ｂ、１１Ｃ、１１Ｄに対し、ケーブルを介して外部装置や映像表示部２０が接続されたことを検出してもよい。或いは、接続検出部１５２は、コネクター１１Ｂ、１１Ｃ、１１Ｄに関して、ケーブルを介して外部装置から映像信号や電源が供給されていることを検出してもよい。また、接続検出部１５２は、コネクター１１Ａ、１１Ｂ、１１Ｃ、１１Ｄにケーブルに接続された状態と、ケーブルを介して外部装置やコネクター１１Ａが接続された状態と、ケーブルを介して映像や電源が供給される状態とを区別して検出してもよい。
【００８３】
設定部１５３は、接続装置１０が備える被操作部の操作に従って、設定データ１３２、及び、表示条件データ１３３を生成、及び、更新する。
【００８４】
電源供給制御部１５４は、電源制御部１２６から接続装置１０の各部、及び、接続部１４５に対する電源供給を制御する。詳細には、電源供給制御部１５４は、電源制御部１２６がコネクター１１Ｂ或いはコネクター１１Ｄから電源供給を受けた場合に、供給される電源に基づき、接続装置１０の各部に対する電源供給を実行し、さらに、電源部２２９、２４９への電源供給を実行させる。また、電源供給制御部１５４は、電源制御部１２６に対する電源供給状態を監視し、接続装置１０の動作状態を制御する。
【００８５】
また、電源供給制御部１５４は、ＨＭＤ１００の動作モードを制御する。ＨＭＤ１００の動作モードは、少なくとも、映像を表示可能な通常動作モード、及び、省電力モードを含む。通常動作モードは、ＨＭＤ１００の各部への電源が供給され、各部が動作を実行可能な動作モードである。これに対し、省電力モードは、通常動作モードよりもＨＭＤ１００の消費電力が小さい。
【００８６】
電源供給制御部１５４は、操作部１４０に対する操作や、映像表示部２０のセンサーの検出状態に基づいて、映像表示部２０の動作に関して予め設定された条件が成立したか否かを判定する。電源供給制御部１５４は、設定された条件が成立した場合に、通常動作モードから省電力モードへの移行、及び、省電力モードから通常動作モードへの移行を実行する。
【００８７】
例えば、電源供給制御部１５４は、通常動作モードにおいて、操作部１４０に対する操作がない状態、及び、映像表示部２０のセンサーの検出値が設定された閾値以下の状態が、設定された時間以上継続した場合に、省電力モードに移行する。また、省電力モードにおいて、操作部１４０に対する操作が行われた場合に通常動作モードに移行する。また、省電力モードにおいて、映像表示部２０のセンサーの検出値が設定された閾値を超えた場合に通常動作モードに移行する。
【００８８】
省電力モードでは、ＯＬＥＤユニット２２１、２４１を含む各部の電源がオフにされ、映像表示部２０が備える各センサーの検出値のサンプリング周波数が、通常動作モードより低周期に設定される。また、省電力モードでは、インジケーター１７及び音声処理部１４７を含む各部への電源供給が停止される。これらの各部は、通常動作モードでは電源供給がなされ、電源がオンの状態となる。
【００８９】
映像出力制御部１５５は、ＥＥＰＲＯＭ２１５からデータを読み出し、読み出したデータに基づいて、センサー制御部１２２及び表示制御部１２４の動作を設定する。映像出力制御部１５５は、表示制御部１２４が受信した映像データに基づく映像信号を生成し、接続部１４５に出力する。また、映像出力制御部１５５は、表示制御部１２４が受信した映像データが、音声データを伴う場合、この音声データを音声処理部１４７に出力する。
【００９０】
映像出力制御部１５５は、Ｉ／Ｆ部１１０が備えるコネクター１１Ｂ、１１Ｃに、複数の外部装置が接続されている場合に、映像表示部２０により表示する映像を切り換える。ここで、接続装置１０に対し映像データを供給する装置のうち、映像表示部２０により表示する映像データを出力する装置を、映像ソースと呼ぶ。映像出力制御部１５５は、コネクター１１Ｂ、１１Ｃに接続された複数の外部装置のいずれかを、映像ソースとして選択し、選択した外部装置が供給する映像データに基づく映像を映像表示部２０に表示させる。映像出力制御部１５５は、操作部１４０が検出する操作や、映像表示部２０のセンサーの検出値に基づき、映像ソースの切り替えを行う。
【００９１】
映像出力制御部１５５は、映像ソースとして選択された外部装置から映像信号が入力されていない場合に、通知映像を生成し、通知映像に基づく映像信号をコネクター１１Ａから出力させてもよい。具体的には、接続検出部１５２は、コネクター１１Ｂ、１１Ｃにケーブルが接続されていることを検出した場合、および、ケーブルを介して外部装置が接続されていることを検出した場合に、映像ソースを選択する。ここで、接続検出部１５２は、選択した映像ソースから入力される映像信号を監視し、映像信号が入力されていない場合に、映像がないことを示す通知映像の映像信号を接続検出部１５２から出力させる。通知映像は、例えば、「Ｎｏ  Ｓｉｇｎａｌ」などの文字列や画像などで構成され、使用者に映像信号がないことを通知する映像である。映像出力制御部１５５は、不揮発性記憶部１３０に記憶された通知映像のデータまたは映像出力制御部１５５が生成するデータに基づき、通知映像の映像信号を、接続部１４５から出力させる。
【００９２】
センサーデータ制御部１５６は、センサー制御部１２２によるデータの出力を制御する。センサーデータ制御部１５６は、センサー制御部１２２により、映像表示部２０が備える各センサーのデータや、カメラ６１の撮像画像データを取得させる。センサーデータ制御部１５６は、Ｉ／Ｆ部１１０においてセンサー制御部１２２に接続されたコネクターを介して、映像表示部２０が備える各センサーのデータや、カメラ６１の撮像画像データを出力させる。また、センサーデータ制御部１５６は、センサー制御部１２２が外部装置から、センサーのデータを要求する制御データを受信した場合に、受信した要求に対し応答し、センサー制御部１２２による出力を制御する。
【００９３】
制御部１２０は、電源ボタン１２（図１）の操作によりＨＭＤ１００の電源がオンに切り換えられた場合、或いは、接続検出部１５２が外部装置からの電源供給の開始を検出した場合に、ＨＭＤ１００の起動制御を実行する。ＨＭＤ１００の起動制御は、接続検出部１５２の検出状態に基づいて、映像出力制御部１５５が実行する。
【００９４】
ＨＭＤ１００が起動する場合の動作は、少なくとも３通りに設定可能である。以下、第１表示モード、第２表示モード、第３表示モードと呼ぶ。
【００９５】
第１表示モードにおいて、制御部１２０は、映像表示部２０の初期化を実行する。初期化の処理は、例えば、映像表示部２０の各部に対する電源供給の開始、映像表示部２０が備える各センサーの初期化および起動、ＯＬＥＤユニット２２１、２４１の初期化を含む。第１表示モードで、制御部１２０は、表示制御部１２４が受信した映像データに基づく映像信号を映像表示部２０に出力して、右表示部２２及び左表示部２４に映像の表示を開始させる。また、第１表示モードで、制御部１２０は、映像表示部２０の映像の表示を停止させる機能を無効に設定する。映像表示部２０の映像の表示を停止させる機能は、例えば、スリープ機能、及び、ミュート機能である。また、第１表示モードで、制御部１２０は、ＨＭＤ１００の電源をオフにする操作を無効に設定する。
【００９６】
スリープ機能は、上記の通常動作モードから省電力モードに移行する機能である。スリープ機能が無効にされると、ＨＭＤ１００は、通常動作モードを維持し、省電力モードへの移行を指示する操作を操作部１４０が検出しても、省電力モードへの移行をしない。
【００９７】
ミュート機能は、通常動作モードにおいて、右表示部２２及び左表示部２４の映像の表示を停止させる機能である。ミュート機能は、接続装置１０が備える被操作部に対する操作により開始される。映像出力制御部１５５は、操作部１４０により、ミュート機能の実行を指示する操作が検出された場合、右表示部２２及び左表示部２４の映像の表示を停止させる。例えば、映像出力制御部１５５は、接続部１４５から右表示部２２及び左表示部２４への映像データの出力を一時的に停止する。また、或いは、映像出力制御部１５５は、電源供給制御部１５４の機能により、ＯＬＥＤユニット２２１、２４１への電源供給を停止させてもよい。ミュート機能は、右表示部２２及び左表示部２４の映像の表示を、一時的に停止する機能であり、表示制御部１２４が映像データを受信している間も実行される。また、ミュート機能を解除する場合、映像出力制御部１５５は、ミュート機能を解除する時点以後に表示制御部１２４が受信した映像データに基づき映像を右表示部２２及び左表示部２４に表示させる。ミュート機能の実行、及び解除は、接続装置１０に対する使用者の操作により指示される。また、ミュート機能の実行中に、右イヤホン３２及び左イヤホン３４からの音声出力が停止されてもよい。
【００９８】
ＨＭＤ１００の起動制御を第１表示モードで実行した場合、制御部１２０は、ＨＭＤ１００の電源をオフにする操作を無効に設定する。ＨＭＤ１００の電源をオフにする操作は、具体的には、電源ボタン１２を押下する操作である。電源ボタン１２の機能の割り当ては任意であり、例えば、電源ボタン１２を設定された時間より短い時間、押下する操作をスリープ機能の指示に割り当てることができる。この場合、電源ボタン１２を設定された時間以上、押し続ける操作を、ＨＭＤ１００の電源をオフにする操作に割り当てることができる。第１表示モードでは、電源ボタン１２が操作されてもＨＭＤ１００の電源をオフにする処理が実行されない。このため、例えば、コネクター１１Ｂ、１１Ｃ、１１Ｄから外部装置を取り外されることで、ＨＭＤ１００の電源がオフになる。
【００９９】
第１表示モードでは、スリープ機能、及び、電源をオフにする操作が無効となる。上記の電源ボタン１２の機能割り当てに従えば、第１表示モードでは、電源ボタン１２の操作が無効な状態でＨＭＤ１００が起動する。
【０１００】
第２表示モードで、制御部１２０は、映像表示部２０の初期化、及び、映像表示部２０による映像の表示を実行せず、操作部１４０が操作を検出するまで待機する。この状態で、映像表示部２０は映像を表示しない。制御部１２０は、操作部１４０の被操作部に対する操作を検出すると、映像表示部２０の初期化を実行する。初期化の処理は、第１表示モードと同様である。
【０１０１】
第３表示モードで、制御部１２０は、映像表示部２０の初期化を実行する。初期化の処理は、第１表示モードと同様である。第２表示モードで、制御部１２０は、初期化の後に、表示制御部１２４が受信した映像データに基づく映像信号を映像表示部２０に出力して、右表示部２２及び左表示部２４に映像の表示を開始させる。つまり、第３表示モードにおいて、初期化を開始してからの動作は第２表示モードと共通である。
【０１０２】
第２表示モード、及び、第３表示モードで、制御部１２０は、ミュート機能、及び、スリープ機能を含む、映像表示部２０の表示停止を伴う各機能を無効としない。換言すれば、制御部１２０は、これらの機能を有効とする。また、第２表示モード、及び、第３表示モードでは、電源ボタン１２の操作に従って、制御部１２０がＨＭＤ１００の電源をオフにするための終了シーケンスを実行できる。
【０１０３】
不揮発性記憶部１３０が記憶する制御プログラム１３１は、プロセッサー１５０によって実行されるプログラムである。制御プログラム１３１は、基本制御部１５１、接続検出部１５２、設定部１５３、電源供給制御部１５４、映像出力制御部１５５、及び、センサーデータ制御部１５６の機能に相当する。
【０１０４】
設定データ１３２は、ＨＭＤ１００の動作に関する各種設定内容を含むデータである。表示条件データ１３３は、ＨＭＤ１００の起動時に制御部１２０が実行する起動制御を指定する。具体的には、表示条件データ１３３は、ＨＭＤ１００の起動時に実行する起動制御が、第１表示モードか、第２表示モードか、第３表示モードかを指定する情報を含む。
【０１０５】
センサーデータ１３４は、センサーデータ制御部１５６が、映像表示部２０が備える各センサーから取得した検出値や、カメラ６１の撮像画像データを含む。センサーデータ制御部１５６は、センサーの検出値や撮像画像データを、センサーデータ１３４として一時的に記憶させ、センサー制御部１２２により出力する。センサーデータ１３４は、マイク６３により集音した音声の音声データを含んでも良い。
【０１０６】
図４は、ＨＭＤ１００に接続される装置のブロック図である。
ＰＣ３００は、制御部３１０、記憶部３２０、Ｉ／Ｆ部３３１、表示部３３５、入力部３３７、及び、通信部３３９を備える。
【０１０７】
制御部３１０は、プロセッサー３１１、及び、記憶部３２０を備える。プロセッサー３１１は、ＣＰＵやマイコン等で構成され、プログラムを実行することによって、ソフトウェアとハードウェアとの協働によりＰＣ３００の各部を制御する。プロセッサー３１１は、ＤＳＰやＦＰＧＡ等のプログラムされたハードウェアであってもよい。
【０１０８】
記憶部３２０は、プロセッサー３１１のワークエリアを形成するＲＡＭ、制御プログラムを記憶するＲＯＭ等で構成される。また、制御部３１０は、プロセッサー３１１、及び記憶部３２０を統合した半導体デバイスであってもよい。また、記憶部３２０は、ＨＤＤ等の磁気的記録装置、或いは、フラッシュメモリー等の半導体記憶素子を用いた不揮発性記憶装置であってもよい。
【０１０９】
記憶部３２０は、プロセッサー３１１により実行されるプログラムであるオペレーティングシステム３２１、及び、アプリケーションプログラム３２２を記憶する。オペレーティングシステムは、図中、ＯＳと表記する。また、記憶部３２０は、コンテンツデータ３２３を記憶する。
【０１１０】
Ｉ／Ｆ部３３１は、外部の装置に接続されるインターフェイスであり、本実施形態では第１接続ケーブル４２を介して接続装置１０に接続される。Ｉ／Ｆ部３３１は、例えば、ＨＤＭＩインターフェイス、ＵＳＢインターフェイス等の規格に準拠した通信を実行する。Ｉ／Ｆ部３３１は、第１接続ケーブル４２を接続するコネクター、コネクターを伝送される信号を処理するインターフェイス回路等を備える。
【０１１１】
表示部３３５は、液晶表示パネル等の表示画面を備え、プロセッサー３１１が処理した処理結果等を表示する。
【０１１２】
入力部３３７は、キーボードやマウス等の入力デバイス、または、表示部３３５の表面に敷設されたタッチセンサーによる入力を検出する。
【０１１３】
通信部３３９は、外部の装置とデータ通信を実行する通信インターフェイスである。通信部３３９は、ケーブルを接続可能な有線通信インターフェイスであってもよいし、無線通信インターフェイスであってもよい。
【０１１４】
プロセッサー３１１は、オペレーティングシステム３２１、及び、アプリケーションプログラム３２２を実行することにより、ＰＣ３００の各部を制御し、コンテンツデータ３２３を再生する。プロセッサー３１１は、コンテンツデータ３２３に含まれる映像データ、及び、音声データを、Ｉ／Ｆ部３３１により接続装置１０に出力する。
【０１１５】
また、プロセッサー３１１は、第１接続ケーブル４２を介して接続装置１０と相互にデータ通信を実行する。プロセッサー３１１は、ＨＭＤ１００が備えるカメラ６１の撮像画像データや、距離センサー６４、照度センサー６５、６軸センサー２３５、磁気センサー２３７等の検出値を、接続装置１０に対して要求する。プロセッサー３１１は、例えば、アプリケーションプログラム３２２の機能により、接続装置１０から取得した撮像画像データや検出値に基づき、接続装置１０に出力する映像データを編集または生成する。
【０１１６】
映像出力装置４００は、出力装置制御部４１０、記憶部４２０、及び、Ｉ／Ｆ部４３０を備える。出力装置制御部４１０は、図示しないプロセッサーを備え、このプロセッサーによりプログラムを実行することによって、ソフトウェアとハードウェアとの協働により映像出力装置４００の各部を制御する。出力装置制御部４１０のプロセッサーは、ＤＳＰやＦＰＧＡ等のプログラムされたハードウェアであってもよい。
【０１１７】
記憶部４２０は、出力装置制御部４１０が実行するプログラムや、出力装置制御部４１０により処理されるデータを記憶する。また、記憶部４２０は、コンテンツデータ４２１を記憶する。Ｉ／Ｆ部４３０は、外部装置に有線または無線により接続されるインターフェイスであり、本実施形態では第２接続ケーブル４４を介して接続装置１０に接続される。
【０１１８】
出力装置制御部４１０は、記憶部４２０に記憶されたコンテンツデータ４２１を再生し、コンテンツデータ４２１に含まれる映像データ、及び、音声データを、Ｉ／Ｆ部４３０により接続装置１０に出力する。
【０１１９】
映像出力装置４００は、ＣＤやＤＶＤ等の可搬型の記録媒体に記録されたコンテンツデータ４２１を読み取って再生する装置であってもよい。また、映像出力装置４００は、データ通信を実行する通信部を備え、通信部によって外部のサーバーから受信する映像データ及び音声データを、Ｉ／Ｆ部４３０により出力してもよい。
【０１２０】
［１−３．表示システムの動作］
図５、図６及び図７は、ＨＭＤ１００の動作を示すフローチャートである。
図５、図６及び図７に示す動作において、ＨＭＤ１００には、ＰＣ３００、映像出力装置４００及び電源装置５００のうち、少なくとも１以上が接続され、Ｉ／Ｆ部１１０に映像データ及び電源が供給されている。
【０１２１】
ＨＭＤ１００の制御部１２０は、ＨＭＤ１００の電源をオンにする操作、または、Ｉ／Ｆ部１１０への電源供給の開始を検出することにより、ＨＭＤ１００の電源をオンに切り換え、起動制御を開始する（ステップＳＴ１１）。
【０１２２】
制御部１２０は、電源供給制御を実行し、接続装置１０の各部への電源供給を開始する（ステップＳＴ１２）。制御部１２０は、接続検出部１５２により、コネクター１１Ａ、及び、Ｉ／Ｆ部１１０のコネクター１１Ｂ、１１Ｃ、１１Ｄの接続状態を検出する（ステップＳＴ１３）。ここで、図示はしないが、制御部１２０は、映像表示部２０が接続されていない場合、映像表示部２０が接続されるまで待機する。また、制御部１２０は、Ｉ／Ｆ部１１０に、電源供給を行う装置以外の外部装置が接続されていない場合、外部装置が接続されるまで待機してもよい。
【０１２３】
制御部１２０は、不揮発性記憶部１３０に記憶された表示条件データ１３３を取得し（ステップＳＴ１４）、表示条件データ１３３により指定される表示モードを判定する（ステップＳＴ１５）。
【０１２４】
ステップＳＴ１５で、表示モードが第１表示モードであると判定した場合（ステップＳＴ１５；第１表示モード）、制御部１２０は、第１表示モードによる起動制御を実行する。すなわち、制御部１２０は、映像表示部２０を初期化し（ステップＳＴ１６）、スリープ機能および電源オフ操作を無効に設定する（ステップＳＴ１７）。さらに、制御部１２０は、ミュート機能を無効に設定する。その後、制御部１２０は、表示制御部１２４が受信する映像データに基づき、映像表示部２０により映像の表示を開始させ（ステップＳＴ１９）、起動制御を終了する。制御部１２０は、映像データを供給する外部装置がＩ／Ｆ部１１０に複数接続されている場合、ステップＳＴ１９で、設定データ１３２により指定されている外部装置を映像ソースとして選択してもよい。
ステップＳＴ１９で映像の表示を開始した後、制御部１２０は、電源をオフにする操作が無効である。このため、ＨＭＤ１００の電源をオフにするためには、ＨＭＤ１００に電源を供給する外部装置を取り外す必要がある。
【０１２５】
ステップＳＴ１５で、表示モードが第２表示モードであると判定した場合（ステップＳＴ１５；第２表示モード）、制御部１２０は、第２表示モードによる起動制御を実行する。すなわち、制御部１２０は、映像表示部２０を初期化し（ステップＳＴ３１）、表示制御部１２４が受信する映像データに基づき、映像表示部２０により映像の表示を開始させる（ステップＳＴ３２）。ステップＳＴ３２で、制御部１２０は、映像データを供給する外部装置がＩ／Ｆ部１１０に複数接続されている場合、設定データ１３２により指定されている外部装置を映像ソースとして選択してもよい。
【０１２６】
制御部１２０は、スリープ機能の実行を指示する操作の有無を判定する（ステップＳＴ３３）。ステップＳＴ３３で、スリープ機能の実行を指示する操作があった場合（ステップＳＴ３３；ＹＥＳ）、制御部１２０は、右表示部２２及び左表示部２４の表示を停止させ（ステップＳＴ３４）、省電力モードに移行する（ステップＳＴ３５）。また、ステップＳＴ３３で、制御部１２０は、ＨＭＤ１００の動作状態がスリープ機能の実行条件を満たす場合に、スリープ機能の実行を指示する操作があったと判定してもよい。
【０１２７】
制御部１２０は、スリープ機能を解除する操作、すなわち省電力モードから通常動作モードへの復帰を指示する操作の有無を判定し（ステップＳＴ３６）、該当する操作がない間は（ステップＳＴ３６；ＮＯ）、待機する。スリープ機能を解除する操作がされた場合（ステップＳＴ３６；ＹＥＳ）、制御部１２０は、通常動作モードに復帰する（ステップＳＴ３７）。すなわち、制御部１２０は、省電力モードから通常動作モードに移行し、右表示部２２及び左表示部２４による映像の表示を開始する（ステップＳＴ３８）。
【０１２８】
制御部１２０は、ＨＭＤ１００の電源をオフにする操作の有無を判定する（ステップＳＴ３９）。電源をオフにする操作がなされていない場合（ステップＳＴ３９；ＮＯ）、制御部１２０は、ステップＳＴ３３に戻る。また、電源をオフにする操作がなされた場合（ステップＳＴ３９；ＹＥＳ）、制御部１２０は、映像表示部２０の動作を停止させる制御を実行し（ステップＳＴ４０）、続いて、接続装置１０の電源をオフにする（ステップＳＴ４１）。
【０１２９】
また、スリープ機能の実行を指示する操作がない場合（ステップＳＴ３３；ＮＯ）、制御部１２０は、ミュート機能を指示する操作の有無を判定する（ステップＳＴ４２）。ミュート機能を指示する操作がない場合（ステップＳＴ４２；ＮＯ）、制御部１２０はステップＳＴ３３に戻る。
【０１３０】
ミュート機能を指示する操作がなされた場合（ステップＳＴ４２；ＹＥＳ）、制御部１２０は、右表示部２２及び左表示部２４の表示を停止させる（ステップＳＴ４３）。
【０１３１】
制御部１２０は、ミュート機能を解除する操作の有無を判定する（ステップＳＴ４４）。該当する操作がない場合（ステップＳＴ４４；ＮＯ）、制御部１２０は、操作部１４０が操作を検出しない、非操作状態が、設定された時間以上継続しているか否かを判定する（ステップＳＴ４５）。制御部１２０は、ミュート機能を実行している間に、接続装置１０が操作されない状態が、設定された時間以上継続している場合は、省電力モードに移行する。設定された時間は、例えば、設定データ１３２に含まれる情報で指定される。非操作状態が設定された時間以上継続した場合（ステップＳＴ４５；ＹＥＳ）、制御部１２０はステップＳＴ３４に移行して、省電力モードに移行する。
【０１３２】
非操作状態が設定された時間に達していない場合（ステップＳＴ４５；ＮＯ）、制御部１２０は、ステップＳＴ４４に戻り、ミュート機能を解除する操作を待機する。
また、ミュート機能を解除する操作がされた場合（ステップＳＴ４４；ＹＥＳ）、制御部１２０は、右表示部２２及び左表示部２４による映像の表示を開始し（ステップＳＴ４６）、ステップＳＴ３９に移行する。
【０１３３】
ステップＳＴ１５で、表示モードが第３表示モードであると判定した場合（ステップＳＴ１５；第３表示モード）、制御部１２０は、第３表示モードによる起動制御を実行する。すなわち、制御部１２０は、操作部１４０により、起動を指示する操作があるまで待機する（ステップＳＴ６１）。制御部１２０は、起動を指示する操作の有無を判定し（ステップＳＴ６１）、操作がない場合は（ステップＳＴ６１；ＮＯ）、待機状態を継続する。また、操作があった場合には、映像表示部２０を初期化し（ステップＳＴ６２）、表示制御部１２４が受信する映像データに基づき、映像表示部２０により映像の表示を開始させる（ステップＳＴ６３）。ステップＳＴ６３で、制御部１２０は、映像データを供給する外部装置がＩ／Ｆ部１１０に複数接続されている場合、設定データ１３２により指定されている外部装置を映像ソースとして選択してもよい。ステップＳＴ６３〜ＳＴ７２の動作は、図６を参照して説明した第２表示モードのステップＳＴ３２〜ＳＴ４１と同様である。
【０１３４】
すなわち、制御部１２０は、スリープ機能の実行を指示する操作の有無を判定する（ステップＳＴ６３）。スリープ機能の実行を指示する操作があった場合（ステップＳＴ６４；ＹＥＳ）、制御部１２０は、右表示部２２及び左表示部２４の表示を停止させ（ステップＳＴ６５）、省電力モードに移行する（ステップＳＴ６６）。
【０１３５】
制御部１２０は、スリープ機能を解除する操作の有無を判定し（ステップＳＴ６７）、該当する操作がない間は（ステップＳＴ６７；ＮＯ）、待機する。スリープ機能を解除する操作がされた場合（ステップＳＴ６７；ＹＥＳ）、制御部１２０は、通常動作モードに復帰する（ステップＳＴ６８）。制御部１２０は、省電力モードから通常動作モードに移行し、右表示部２２及び左表示部２４による映像の表示を開始する（ステップＳＴ６９）。
【０１３６】
制御部１２０は、ＨＭＤ１００の電源をオフにする操作の有無を判定する（ステップＳＴ７０）。電源をオフにする操作がなされていない場合（ステップＳＴ７０；ＮＯ）、制御部１２０は、ステップＳＴ６４に戻る。電源をオフにする操作がなされた場合（ステップＳＴ７０；ＹＥＳ）、制御部１２０は、映像表示部２０の動作を停止させる制御を実行し（ステップＳＴ７１）、続いて、接続装置１０の電源をオフにする（ステップＳＴ７２）。
【０１３７】
スリープ機能の実行を指示する操作がない場合（ステップＳＴ６４；ＮＯ）、制御部１２０は、ミュート機能を指示する操作の有無を判定する（ステップＳＴ７３）。ミュート機能を指示する操作がない場合（ステップＳＴ７３；ＮＯ）、制御部１２０はステップＳＴ６４に戻る。
【０１３８】
ミュート機能を指示する操作がなされた場合（ステップＳＴ７３；ＹＥＳ）、制御部１２０は、右表示部２２及び左表示部２４の表示を停止させる（ステップＳＴ７４）。
【０１３９】
制御部１２０は、ミュート機能を解除する操作の有無を判定する（ステップＳＴ７５）。該当する操作がない場合（ステップＳＴ７５；ＮＯ）、制御部１２０は、非操作状態が、設定された時間以上継続しているか否かを判定する（ステップＳＴ７６）。非操作状態が設定された時間以上継続した場合（ステップＳＴ７６；ＹＥＳ）、制御部１２０はステップＳＴ６５に移行して、省電力モードに移行する。
【０１４０】
非操作状態が設定された時間に達していない場合（ステップＳＴ７６；ＮＯ）、制御部１２０は、ステップＳＴ７５に戻り、ミュート機能を解除する操作を待機する。
ミュート機能を解除する操作がされた場合（ステップＳＴ７５；ＹＥＳ）、制御部１２０は、右表示部２２及び左表示部２４による映像の表示を開始し（ステップＳＴ７７）、ステップＳＴ７０に移行する。
【０１４１】
図８は、ＨＭＤ１００の動作を示すフローチャートであり、ＨＭＤ１００が実行する起動制御の表示モードに関する設定を変更する動作を示す。
制御部１２０は、操作部１４０が、表示モードの設定変更を指示する操作を検出すると（ステップＳＴ９１）、不揮発性記憶部１３０が記憶する表示条件データ１３３を参照する（ステップＳＴ９２）。制御部１２０は、表示条件データ１３３が指定する表示モードを、次の表示モードに変更し（ステップＳＴ９３）、変更後の表示モードに合わせて表示条件データ１３３を更新する（ステップＳＴ９４）。
【０１４２】
ＨＭＤ１００では、制御部１２０が起動制御で実行する表示モードを、第１表示モード、第２表示モード、第３表示モードの順に切り換えることができる。第３表示モードの次は第１表示モードに切り換えられ、循環して切り換え可能に構成される。
ステップＳＴ９１で検出される操作は、例えば、電源ボタン１２と、輝度調整ボタン１４とを同時に押下する操作など、使用者が通常は行わない、特殊な操作である。例えば、ＨＭＤ１００の表示機能やその他の通常の機能に関して、使用者が行う操作とは異なることが好ましい。
【０１４３】
図８の動作は、ＨＭＤ１００が動作している間はいつでも実行可能であり、起動制御が第１表示モードか、第２表示モードか、第３表示モードかを問わない。図８の動作は、表示モードを切り換える操作を操作部１４０が検出した場合（ステップＳＴ９１）、割り込み制御として、制御部１２０により実行される。
【０１４４】
以上説明したように、本発明を適用した第１実施形態において、接続装置１０は、表示部２２及び左表示部２４を備えた頭部装着型の映像表示部２０と、外部装置としてのＰＣ３００及び映像出力装置４００が接続される装置である。接続装置１０は、制御部１２０を備える。制御部１２０は、右表示部２２及び左表示部２４を制御して、外部装置から入力される映像を右表示部２２及び左表示部２４に表示させる表示機能、及び、右表示部２２及び左表示部２４の表示を停止させる表示停止機能を含む機能を実行可能である。ここで、表示停止機能は、ミュート機能、スリープ機能を含み、電源オフが指示された場合の終了シーケンスを含んでもよい。接続装置１０は、右表示部２２及び左表示部２４の表示条件を記憶した不揮発性記憶部１３０を備える。表示条件は、例えば、表示条件データ１３３である。制御部１２０は、接続装置１０への電源供給が開始されたときに、表示条件データ１３３に基づく表示モードで映像表示部２０を起動させる。接続装置１０が実行する表示モードは、少なくとも、表示機能により外部装置から入力される映像を右表示部２２及び左表示部２４に表示させ、表示停止機能を無効とする第１表示モードを含む。
【０１４５】
また、本発明を適用した第１実施形態において、ＨＭＤ１００は、画像を表示する頭部装着型の映像表示部２０と、外部装置に接続される接続装置１０を備えて構成される表示装置である。
【０１４６】
本発明の接続装置、及び、接続装置の制御方法を適用した接続装置１０によれば、映像表示部２０を、映像を表示する状態で、ミュート機能やスリープ機能が無効な状態で起動させることができる。この状態では、使用者が接続装置１０を操作しても映像表示部２０における映像の表示が停止されない。このため、使用者がＨＭＤ１００の操作に習熟していない場合に、誤って接続装置１０を操作してしまっても、映像の視聴を維持できる。
【０１４７】
例えば、映像表示部２０を装着して使用する使用者が、ＨＭＤ１００の所有者とは異なる場合であって、使用者に映像表示部２０の映像を視認させる場合に、第１表示モードでＨＭＤ１００を起動することは有用である。具体的には、観光案内のガイド用に、使用者にＨＭＤ１００を貸与し、ＨＭＤ１００の映像を使用者に視聴させる場合、使用者はＨＭＤ１００の操作方法に習熟していないことが想定される。観光案内の状況としては、美術館、博物館、史跡、或いはその他の観光スポットで、１または複数の案内者が、使用者を案内するケースが想定される。また、教育目的でＨＭＤ１００を使用する場合にも同様のことがいえる。これらの場合において、ＨＭＤ１００の操作に習熟していない使用者が、誤ってＨＭＤ１００の映像表示を停止させたり、ＨＭＤ１００の電源をオフしてしまうことがないので、本来の目的である映像の視聴を継続できる。
【０１４８】
また、本発明の表示装置、接続装置の制御方法、及び、表示装置の制御方法を適用したＨＭＤ１００は、接続装置１０の機能により、上記の効果を得ることができる。
【０１４９】
また、接続装置１０は、操作を受け付ける操作部１４０を備える。制御部１２０は、操作部１４０が受け付けた操作に基づき表示停止機能を実行可能である。第１表示モードの実行中は操作部１４０の操作にかかわらず表示停止機能を実行しない。このため、使用者、或いは使用者以外の者の操作により、ＨＭＤ１００の機能設定や、各種機能を実行することができる。さらに、例えばＨＭＤ１００の操作に習熟していない使用者が使用する場合に、第１表示モードで起動させることで、誤操作による映像表示の停止を予防できる。
【０１５０】
接続装置１０が実行する表示モードは、制御部１２０によって、表示機能を実行して外部装置から入力される映像を右表示部２２及び左表示部２４に表示させ、操作部１４０の操作に応じて表示停止機能を実行する第２表示モードを含む。接続装置１０により、第２表示モードを実行させることで、ミュート機能、スリープ機能等が有効な状態で、ＨＭＤ１００を動作させることができる。このため、ＨＭＤ１００の操作に習熟した者がＨＭＤ１００を使用する場合の利便性を損なうことなく、誤操作による表示の停止を防止できる。
【０１５１】
接続装置１０が実行する表示モードは、制御部１２０によって、右表示部２２及び左表示部２４に映像を表示させず、操作部１４０の操作に応じて表示機能を実行する第３表示モードを含む。接続装置１０により、第３表示モードを実行させることで、接続装置１０を操作するまで映像が表示されない状態で、ＨＭＤ１００を起動させることができる。また、第３表示モードでは、ミュート機能、スリープ機能等が有効な状態で、ＨＭＤ１００を動作させることができる。このため、ＨＭＤ１００の操作に習熟した者がＨＭＤ１００を使用する場合の利便性を損なうことなく、誤操作による表示の停止を防止できる。
【０１５２】
さらに、接続装置１０は、操作部１４０の操作により、ＨＭＤ１００の電源がオンにされたときに実行する表示モードを、変更可能である。また、表示モードを変更する場合に、表示条件データ１３３を更新できる。このため、表示停止機能の実行を制限することが可能である上、表示停止機能を有効とする状態でＨＭＤ１００を動作させることが可能であり、これらの表示モードを容易に切り換えることができる。従って、ＨＭＤ１００の操作に習熟した者がＨＭＤ１００を使用する場合の利便性を損なうことなく、誤操作による表示の停止を防止できる。
【０１５３】
接続装置１０は、映像表示部２０に接続される第１接続部としてのコネクター１１Ａを備える。また、接続装置１０は、電源供給を受ける第２接続部としてのコネクター１１Ｂ、及び、コネクター１１Ｄを備える。また、接続装置１０は、外部装置に接続されて映像の入力を受け付ける第３接続部としてのコネクター１１Ｂ、１１Ｃを備える。制御部１２０は、第２接続部への電源供給が開始されたときに、不揮発性記憶部１３０に記憶された表示条件に基づく表示モードで映像表示部２０を起動させる。
【０１５４】
また、第２接続部が第３接続部と一体に構成され、外部装置からの電源供給を受ける構成とすることができる。具体的には、コネクター１１Ｂは、電源供給を受ける第２接続部、及び、外部装置に接続されて映像の入力を受け付ける第３接続部として機能する。
【０１５５】
［２．第２実施形態］
図９は、本発明を適用した第２実施形態の表示システム１Ａのブロック図であり、ＨＭＤ１０１の構成を詳細に示す。
ＨＭＤ１０１は、図２の映像表示部２０に、図２の接続装置１０の機能部を一体として構成した装置である。すなわち、図１に示す映像表示部２０の筐体に、右表示部２２及び左表示部２４とともに、接続装置１０に相当する機能部を収容し、配置した装置である。ＨＭＤ１０１は、本発明の表示装置に相当する。
【０１５６】
ＨＭＤ１０１は、制御部１２０、センサー制御部１２２、表示制御部１２４、電源制御部１２６、不揮発性記憶部１３０、操作部１４０、及び、音声処理部１４７を備える。これらの各部は上述した第１実施形態と同様に構成される。
【０１５７】
また、ＨＭＤ１０１は、インジケーター１７Ａを備える。インジケーター１７Ａは、図２のインジケーター１７と同様に構成され、ＨＭＤ１０１の動作状態に応じて点灯する。インジケーター１７Ａは、例えば、右保持部２１や左保持部２３、或いは前部フレーム２７に設置される。
【０１５８】
ＨＭＤ１０１は、Ｉ／Ｆ部１１０Ａを備える。Ｉ／Ｆ部１１０Ａは、映像表示部２０に設けられるコネクター１２Ａ、１２Ｂ、１２Ｃを備える。コネクター１２Ａ、１２Ｂ、１２Ｃが対応するインターフェイス規格や構成は、それぞれ、コネクター１１Ｂ、１１Ｃ、１１Ｄと同様である。従って、Ｉ／Ｆ部１１０Ａには、ＰＣ３００、映像出力装置４００、及び、電源装置５００を接続可能である。
【０１５９】
また、ＨＭＤ１０１は、接続部１４６を備える。接続部１４６は、接続部１４５と同様に、制御部１２０を含む各部を右表示部２２及び左表示部２４に接続する。ＨＭＤ１０１では、接続部１４６は、右表示部２２及び左表示部２４と一体に構成されるため、表示部接続ケーブル４０（図１）に代えて、装置内部の接続ケーブル４８が用いられる。接続ケーブル４８は、右Ｉ／Ｆ部２１１、及び左Ｉ／Ｆ部２３１を、制御部１２０、センサー制御部１２２、表示制御部１２４、及び音声処理部１４７の各部と接続する。
【０１６０】
また、ＨＭＤ１０１は、接続部１４８を備える。接続部１４８は、右イヤホン３２、左イヤホン３４、及びマイク６３を有するヘッドセット３０が接続されるコネクターを有する。
【０１６１】
図９に示すＨＭＤ１０１は、制御部１２０により、図５〜図８に示した各動作を実行することが可能である。
すなわち、第２実施形態のＨＭＤ１０１は、本発明の表示装置、及び、表示装置の制御方法を適用した装置であって、画像を表示する右表示部２２及び左表示部２４を備えた頭部装着型の表示装置である。ＨＭＤ１０１は、外部装置に接続されるＩ／Ｆ部１１０Ａを備える。ＨＭＤ１０１は、外部装置から入力される映像を右表示部２２及び左表示部２４に表示する表示機能、及び、右表示部２２及び左表示部２４の表示を停止する表示停止機能を含む機能を実行可能な制御部１２０を有する。ＨＭＤ１０１は、右表示部２２及び左表示部２４の表示条件を記憶した不揮発性記憶部１３０を備える。制御部１２０は、映像表示部２０への電源供給が開始されたときに、不揮発性記憶部１３０に記憶された表示条件に基づく表示モードで起動する。制御部１２０が実行する表示モードは、少なくとも、表示機能により外部装置から入力される映像を右表示部２２及び左表示部２４に表示し、表示停止機能を無効とする第１表示モードを含む。
この構成によれば、第１実施形態における接続装置１０、及び、ＨＭＤ１００と同様の効果が得られる。
【０１６２】
第２実施形態のＨＭＤ１０１の外観は、映像表示部２０と同一でなくてもよい。また、ＨＭＤ１０１において、Ｉ／Ｆ部１１０Ａを、他の構成部とは別体として設けても良く、具体的な形状は任意である。
【０１６３】
［３．他の実施形態］
本発明は上記各実施形態の構成に限られるものではなく、その要旨を逸脱しない範囲において種々の態様において実施することが可能である。
例えば、上記各実施形態では、映像表示部２０が、右表示部２２及び左表示部２４が備える光学系により、使用者の右眼と左眼の各々に映像を視認させる構成とした。本発明はこれに限定されず、例えば、使用者の右眼と左眼の両方に映像を視認させる単一の光学部材を用いた構成としてもよい。また、ＨＭＤ１００、１０１は、使用者の右眼および左眼のいずれか一方にのみ映像を視認させる装置であってもよい。
【０１６４】
また、第１実施形態では、接続装置１０が電源供給を受ける第２接続部と、映像の入力を受け付ける第３接続部とを一体に構成した一態様として、コネクター１１Ｂを例示した。また、第２実施形態では同様の構成としてコネクター１２Ａを示した。本発明はこれに限定されない。すなわち、第２接続部と第３接続部とを一体に構成した態様は、１つのコネクターが電源供給と映像の入力を受ける例に限らない。例えば、映像の伝送と電力供給供給とが可能な１本のケーブルを接続する接続部とすることができる。この場合、ケーブルが接続されるコネクターは１つであってもよいし、上記ケーブルが分岐して、複数のコネクターに接続されてもよい。上記ケーブルは、映像伝送用の線と電源供給用の線とが被覆によりまとめられたケーブルであってもよいし、映像伝送用のケーブルと電源供給用のケーブルを結束して、見た目上、１本にまとめたケーブルであってもよい。
【０１６５】
また、上記実施形態では、接続装置１０はコネクター１１Ｂ、１１Ｃ、１１Ｄを備え、ＨＭＤ１０１はコネクター１２Ａ、１２Ｂ、１２Ｃを備える構成としたが、コネクターの配置や数は任意に変更可能である。接続装置１０及びＨＭＤ１０１は、映像が入力される第２接続部としての少なくとも１のコネクター、及び、電源が供給される少なくとも１のコネクターを備えていればよい。例えば、接続装置１０は、コネクター１１Ｂのみを備える構成としてもよいし、コネクター１１Ｃ、１１Ｄのみを備える構成としてもよい。ＨＭＤ１０１も同様に、コネクター１２Ａのみを備える構成としてもよいし、コネクター１２Ｂ、１２Ｃのみを備える構成としてもよい。また、接続装置１０に、３本以上の映像信号を入力可能な構成としてもよい。例えば、接続装置１０が、コネクター１１Ｂ、１２Ａと同様の機能を有するコネクター及びインターフェイス回路を２または３以上備える構成であってもよい。また、接続装置１０が、コネクター１１Ｃ、１２Ｂと同様の機能を有するコネクター及びインターフェイス回路を２または３以上備える構成であってもよい。
【０１６６】
さらに、第２接続部は、無線により映像を伝送する構成であってもよい。第２接続部の一態様として示したコネクター１１Ｂ、１１Ｃ、１２Ａ、１２Ｂに代えて、或いは、これらのコネクターに加えて、接続装置１０及びＨＭＤ１０１が無線通信部を備えてもよい。この場合、無線通信部は、第２接続部として機能する。この場合、接続検出部１５２は、接続装置１０と他の装置とが無線接続していることを検出する。
【０１６７】
また、映像表示部２０は、ホログラフィー表示装置として構成してもよい。この場合、映像表示部２０は、例えば、光源と、光源からの光を変調する空間光変調器と、を備える構成とすることができる。空間光変調器としては、例えば、ＳＬＭを採用することができる。より具体的には、ＬＣＯＳとして知られる、液晶を利用した反射型空間光位相変調器を用いることができる。ＳＬＭは、Ｓｐａｔｉａｌ  Ｌｉｇｈｔ  Ｍｏｄｕｌａｔｏｒの略であり、ＬＣＯＳはＬｉｑｕｉｄ  Ｃｒｙｓｔａｌ  Ｏｎ  Ｓｉｌｉｃｏｎ−ＳＬＭの略である。
【０１６８】
また、上記各実施形態において、使用者が画像表示部を透過して外景を視認する構成は、右表示部２２及び左表示部２４が外光を透過する構成に限定されない。例えば外景を視認できない状態で画像を表示する表示装置にも適用可能である。具体的には、カメラ６１の撮影画像、この撮影画像に基づき生成される画像やＣＧ、予め記憶された映像データや外部から入力される映像データに基づく映像等を表示する表示装置に、本発明を適用できる。この種の表示装置としては、外景を視認できない、いわゆるクローズ型の表示装置を含むことができる。また、上記実施形態で説明したように実空間に重ねて画像を表示するＡＲ表示や、撮影した実空間の画像と仮想画像とを組み合わせるＭＲ表示を用いてもよい。或いは、仮想画像を表示するＶＲ表示といった処理を行わない表示装置にも適用できる。ＭＲはＭｉｘｅｄ  Ｒｅａｌｉｔｙの略であり、ＶＲはＶｉｒｔｕａｌ  Ｒｅａｌｉｔｙの略である。例えば、外部から入力される映像データまたはアナログ映像信号を表示する表示装置も、本発明の適用対象として勿論含まれる。
【０１６９】
また、例えば、映像表示部２０に代えて、例えば帽子のように装着する画像表示部等の他の方式の画像表示部を採用してもよく、使用者の左眼に対応して画像を表示する表示部と、使用者の右眼に対応して画像を表示する表示部とを備えていればよい。また、本発明の表示装置は、例えば、自動車や飛行機等の車両に搭載されるヘッドマウントディスプレイとして構成されてもよい。また、例えば、ヘルメット等の身体防護具に内蔵されたヘッドマウントディスプレイとして構成されてもよい。この場合、使用者の身体に対する位置を位置決めする部分、及び、当該部分に対し位置決めされる部分を装着部とすることができる。
【０１７０】
また、図２、図３、図４、図９のブロック図に示した各機能ブロックは、ハードウェアで実現してもよいし、ハードウェアとソフトウェアの協働により実現される構成としてもよく、図に示した通りに独立したハードウェア資源を配置する構成に限定されない。
【符号の説明】
【０１７１】
１…表示システム、１０…接続装置、１１Ａ…コネクター（第１接続部）、１１Ｂ…コネクター（第２接続部、第３接続部）、１１Ｃ…コネクター（第３接続部）、１１Ｄ…コネクター（第２接続部）、１２…電源ボタン、１２Ａ…コネクター（第２接続部、第３接続部）、１２Ｂ…コネクター（第３接続部）、１２Ｃ…コネクター（第２接続部）、１７、１７Ａ…インジケーター、２０…映像表示部（表示装置）、２１…右保持部、２２…右表示部（画像表示部）、２３…左保持部、２４…左表示部（画像表示部）、２６…右導光板、２７…前部フレーム、２８…左導光板、３０…ヘッドセット、３２…右イヤホン、３４…左イヤホン、３６…オーディオコネクター、４０…接続ケーブル、４２…第１接続ケーブル、４４…第２接続ケーブル、４６…第３接続ケーブル、４８…接続ケーブル、６１…カメラ、６３…マイク、６４…距離センサー、６５…照度センサー、６７…ＬＥＤインジケーター、１００、１０１…ＨＭＤ（表示装置）、１１０、１１０Ａ…Ｉ／Ｆ部、１２０…制御部、１２２…センサー制御部、１２４…表示制御部、１２６…電源制御部、１３０…不揮発性記憶部（記憶部）、１３１…制御プログラム、１３２…設定データ、１３３…表示条件データ（表示条件）、１３４…センサーデータ、１４０…操作部、１４５、１４６、１４８…接続部、１４７…音声処理部、１５０…プロセッサー、１５１…基本制御部、１５２…接続検出部、１５３…設定部、１５４…電源供給制御部、１５５…映像出力制御部、１５６…センサーデータ制御部、１６０…メモリー、２１０…右表示部基板、２１１…右Ｉ／Ｆ部、２１３…受信部、２１５…ＥＥＰＲＯＭ、２１７…温度センサー、２２１…ＯＬＥＤユニット、２２９…電源部、２３０…左表示部基板、２３１…左Ｉ／Ｆ部、２３３…受信部、２３５…６軸センサー、２３７…磁気センサー、２３９…温度センサー、２４１…ＯＬＥＤユニット、２４９…電源部、３００…ＰＣ（情報処理装置）、４００…映像出力装置（情報処理装置）、５００…電源装置。
【図１】
2019197251.tif 000003
【図２】
2019197251.tif 000004
【図３】
2019197251.tif 000005
【図４】
2019197251.tif 000006
【図５】
2019197251.tif 000007
【図６】
2019197251.tif 000008
【図７】
2019197251.tif 000009
【図８】
2019197251.tif 000010
【図９】
2019197251.tif 000011